(57)【要約】【課題】本発明は、複数のアレイレンズを容易に組み付けることができるアレイレンズユニット及びその製造方法の提供を目的とする。【解決手段】本発明のアレイレンズユニット１０は、複数の個眼レンズ１１ａを有する被組付用アレイレンズとしての第１アレイレンズ１と、複数の個眼レンズ２１ａを有し前記第１アレイレンズ１の光軸方向の一方側に組み付けられた１つの組付用アレイレンズとしての第２アレイレンズ２とを備える。第１アレイレンズ１は、一方側の対向面に、第１アレイレンズ１と第２アレイレンズ２との組み付けに際して、押圧治具１０２によって一方側から押圧される被押圧部１４を備えている。【選択図】図３
2015219397.tif 000002
【特許請求の範囲】
【請求項１】
複数の個眼レンズを有する被組付用アレイレンズと、複数の個眼レンズを有し前記被組付用アレイレンズの光軸方向の一方側に組み付けられる１又は複数の組付用アレイレンズとを備え、
前記被組付用アレイレンズは、前記被組付用アレイレンズの前記一方側の対向面に、前記被組付用アレイレンズと前記組付用アレイレンズとの組み付けに際して前記被組付用アレイレンズの他方側の対向面が固定治具に押し付けられるように、押圧治具によって前記一方側から押圧される被押圧部を備え、
前記被押圧部は、前記押圧治具で押圧された状態で、前記組付用アレイレンズが前記被組付用アレイレンズの一方側に組み付けられるように構成されていることを特徴とするアレイレンズユニット。
【請求項２】
前記被組付用アレイレンズと前記組付用アレイレンズとのうちの互いに隣接する２つのアレイレンズにおける前記一方側に配置される一方側隣接アレイレンズは、前記他方側に配置される他方側配置アレイレンズに対向する対向面が前記他方側配置アレイレンズにおける前記一方側隣接アレイレンズに対向する対向面よりも小さな面積になるように形成されていることを特徴とする請求項１記載のアレイレンズユニット。
【請求項３】
前記組付用アレイレンズにおける前記被組付用アレイレンズと隣接した隣接アレイレンズは、その外周縁から内側に凹まされた凹部を備え、
前記凹部は、前記被組付用アレイレンズの前記被押圧部に対応する位置に、前記押圧治具によって前記一方側から前記被押圧部を押圧可能に形成されていることを特徴とする請求項１又は２記載のアレイレンズユニット。
【請求項４】
前記被組付用アレイレンズと、前記組付用アレイレンズにおける前記被組付用アレイレンズと隣接した隣接アレイレンズとは、互いに略同じ大きさの略矩形状を呈し、
前記被押圧部は、前記被組付用アレイレンズの隅角部に形成され、
前記隣接アレイレンズは、前記被押圧部が形成された前記被組付用アレイレンズの隅角部に対応する前記隣接アレイレンズの隅角部に、前記押圧治具によって前記一方側から前記被押圧部を押圧可能に形成された面取り部を備えていることを特徴とする請求項１〜３の何れか一項に記載のアレイレンズユニット。
【請求項５】
前記被組付用アレイレンズと前記組付用アレイレンズとのうちで互いに隣接する２つのアレイレンズの何れか一方のアレイレンズは、前記何れか他方のアレイレンズの一部又は全体を受容する受容部を備え、
前記受容部は、前記他方を前記光軸方向に直交する方向に移動可能に形成されていることを特徴とする請求項１〜４の何れか一項に記載のアレイレンズユニット。
【請求項６】
複数の個眼レンズを有し光軸方向の一方側の対向面に被押圧部を有する被組付用アレイレンズと、複数の個眼レンズを有する１又は複数の組付用アレイレンズとを用い、
前記被組付用アレイレンズの被押圧部を押圧治具によって前記一方側から押圧することにより、前記被組付用アレイレンズの他方側の対向面を固定治具に押し付けて固定する被組付用アレイレンズ固定工程と、
前記固定治具に固定された状態の前記被組付用アレイレンズの一方側の対向面に、前記組付用アレイレンズを載置する組付用アレイレンズ載置工程と、
前記載置した組付用アレイレンズを、前記被組付用アレイレンズに対して前記光軸方向に直交する方向の位置を調整する組付用アレイレンズ位置調整工程と、
を備えていることを特徴とするアレイレンズユニットの製造方法。
【発明の詳細な説明】
【技術分野】
【０００１】
本発明は、アレイレンズユニットおよびその製造方法に関する。
【背景技術】
【０００２】
被組付け用レンズと、その被組付け用レンズの光軸方向の一方側に配置される１又は複数の組付け用レンズとを光軸方向に重ね合わせるように組み付けたレンズユニットは、従来から広く知られており、例えば特許文献１に、そのようなレンズユニットが開示されている。
【０００３】
このようなレンズユニットでは、一般的に、最像側に配置される被組付け用レンズの外周を挟持部材によって挟持して固定状態にしておき、その被組付け用レンズの対物側となる一方側に組付け用レンズを配置し、その配置した組付け用レンズの光軸と前記挟持した被組付け用レンズの光軸とが一致するように、被組付け用レンズに対する組付け用レンズの光軸方向に直交する方向の位置調整を行う。
【先行技術文献】
【特許文献】
【０００４】
【特許文献１】特開２００５−１８０２４号公報
【発明の概要】
【発明が解決しようとする課題】
【０００５】
ところで、複数の個眼レンズを有するアレイレンズの場合、薄い板状体から構成されている。従って、複数のアレイレンズを組み付けてアレイレンズユニットを形成する場合に、上述のように、被組付用アレイレンズの外周を挟持部材によって挟持すると歪んで（撓んで）しまい、歪んだ状態の被組付用アレイレンズと組付用アレイレンズとが位置調整されることになる。その結果、位置調整後に、被組付用アレイレンズから挟持部材による挟持を外すと、被組付用アレイレンズの歪みが解放され、被組付用アレイレンズと組付用アレイレンズとが位置ずれしてしまう。
【０００６】
又、挟持部材による挟持に代えて、被組付用アレイレンズを真空吸着して保持する方法も知られているが、アレイレンズの中央部を真空で吸引すると、その場合もアレイレンズが歪んでしまう。その結果、上記挟持部材による挟持と同様に、位置調整後の被組付用アレイレンズと組付用アレイレンズとが位置ずれを起こしてしまう。
【０００７】
本発明は、複数のアレイレンズを容易に組み付けることができるアレイレンズユニット及びその製造方法の提供を目的とする。
【課題を解決するための手段】
【０００８】
本発明のレンズユニットは、複数の個眼レンズを有する被組付用アレイレンズと、複数の個眼レンズを有し前記被組付用アレイレンズの光軸方向の一方側に組み付けられる１又は複数の組付用アレイレンズとを備え、前記被組付用アレイレンズは、前記被組付用アレイレンズの前記一方側の対向面に、前記被組付用アレイレンズと前記組付用アレイレンズとの組み付けに際して前記被組付用アレイレンズの他方側の対向面が固定治具に押し付けられるように、押圧治具によって前記一方側から押圧される被押圧部を備え、前記被押圧部は、前記押圧治具で押圧された状態で、前記組付用アレイレンズが前記被組付用アレイレンズの一方側に組み付けられるように構成されていることを特徴とする。
【０００９】
これによれば、被組付用アレイレンズと組付用アレイレンズとの組み付けに際して被組付用アレイレンズの被押圧部を押圧治具によって光軸方向の一方側から光軸方向に押圧することで、被組付用アレイレンズの他方側の対向面を固定治具に押し付けて固定状態にできる。これにより、被組付用アレイレンズを歪ませることなく被組付用アレイレンズを固定治具に固定できる。従って、この状態で、組付用アレイレンズを被組付用アレイレンズの一方側の対向面に載置して位置調整すれば、被組付用アレイレンズから押圧している押圧治具を外しても、組付用アレイレンズと被組付用アレイレンズとが位置ずれを起こすおそれが少なくなる。よって、複数のアレイレンズを、容易にしかも確実に位置調整できる。
【００１０】
他の一態様では、前記アレイレンズユニットにおいて、前記被組付用アレイレンズと前記組付用アレイレンズとのうちの互いに隣接する２つのアレイレンズにおける前記一方側に配置される一方側配置アレイレンズは、前記他方側に配置される他方側隣接アレイレンズに対向する対向面が前記他方側隣接アレイレンズにおける前記一方側配置アレイレンズに対向する対向面よりも小さな面積になるように形成されていることを特徴とする。
【００１１】
これによれば、例えば組付用アレイレンズを被組付用アレイレンズに重ね合わせれば、被組付用アレイレンズの被押圧部を組付用アレイレンズから突出させることができ、被組付用アレイレンズの一方側の対向面の一部を被押圧部として一方側に露出できる。これにより、被押圧部の形成が容易になる。又、アレイレンズユニットは、大きいアレイレンズから小さいアレイレンズの順に組み付けられ、組み付けが容易になるとともに、レンズユニット全体の小型化が図られる。
【００１２】
他の一態様では、前記アレイレンズユニットにおいて、前記組付用アレイレンズにおける前記被組付用アレイレンズと隣接した隣接アレイレンズは、その外周縁から内側に凹まされた凹部を備え、前記凹部は、前記被組付用アレイレンズの前記被押圧部に対応する位置に、前記押圧治具によって前記一方側から前記被押圧部を押圧可能に形成されていることを特徴とする。
【００１３】
これによれば、例えば被組付用アレイレンズと同じ大きさの隣接アレイレンズを被組付用アレイレンズに重ね合わせれば、凹部によって被組付用アレイレンズの一方側の対向面の一部を被押圧部として一方側に露出でき、被押圧部の形成が容易になる。
【００１４】
他の一態様では、前記アレイレンズユニットにおいて、前記被組付用アレイレンズと、前記組付用アレイレンズにおける前記被組付用アレイレンズと隣接した隣接アレイレンズとは、互いに略同じ大きさの略矩形状を呈し、前記被押圧部は、前記被組付用アレイレンズの隅角部に形成され、前記隣接アレイレンズは、前記被押圧部が形成された前記被組付用アレイレンズの隅角部に対応する前記隣接アレイレンズの隅角部に、前記押圧治具によって前記一方側から前記被押圧部を押圧可能に形成された面取り部を備えていることを特徴とする。
【００１５】
これによれば、例えば被組付用アレイレンズと同じ大きさの隣接アレイレンズを被組付用アレイレンズに重ね合わせれば、面取り部によって被組付用アレイレンズの隅角部を被押圧部として一方側に露出でき、被押圧部の形成が容易になる。又、隣接アレイレンズに面取り部を形成することで被組付用アレイレンズの隅角部を何も加工せずに被押圧部にでき、アレイレンズユニットの形成が容易になる。
【００１６】
他の一態様では、前記アレイレンズユニットにおいて、前記被組付用アレイレンズと前記組付用アレイレンズとのうちで互いに隣接する２つのアレイレンズの何れか一方のアレイレンズは、前記何れか他方のアレイレンズの一部又は全体を受容する受容部を備え、前記受容部は、前記他方を前記光軸方向に直交する方向に移動可能に形成されていることを特徴とする。
【００１７】
これによれば、隣接する２つのアレイレンズの組み付けに際し、２つのうちの一方のアレイレンズに形成された受容部に他方のアレイレンズの一部又は全体が受容されれば、一方に対する他方の光軸方向に直交する方向における概略の位置が決められる。そして、その状態から、一方に対して他方が光軸方向と直交する方向に僅かに移動操作されることとで、一方に対して他方が最終的に位置調整される。従って、隣接する２つのアレイレンズの位置調整が容易になり、組み付けが容易なものになる。
【００１８】
本発明のレンズユニットの製造方法は、複数の個眼レンズを有し光軸方向の一方側の対向面に被押圧部を有する被組付用アレイレンズと、複数の個眼レンズを有する１又は複数の組付用アレイレンズとを用い、前記被組付用アレイレンズの被押圧部を押圧治具によって前記一方側から押圧することにより、前記被組付用アレイレンズの他方側の対向面を固定治具に押し付けて固定する被組付用アレイレンズ固定工程と、前記固定治具に固定された状態の前記被組付用アレイレンズの一方側の対向面に、前記組付用アレイレンズを載置する組付用アレイレンズ載置工程と、前記載置した組付用アレイレンズを、前記被組付用アレイレンズに対して前記光軸方向に直交する方向の位置を調整する組付用アレイレンズ位置調整工程と、を備えていることを特徴とする。
【００１９】
これによれば、被組付用アレイレンズと組付用アレイレンズとの組み付けに際して被組付用アレイレンズの被押圧部を押圧治具によって一方側から光軸方向に押圧することで、被組付用アレイレンズの他方面を固定治具に押し付けることができる。これにより、被組付用アレイレンズを歪ませることなく被組付用アレイレンズを固定治具に固定できる。従って、この状態で、組付用アレイレンズを被組付用アレイレンズの対物側に載置して位置調整すれば、被組付用アレイレンズから押圧している押圧治具を外しても、組付用アレイレンズと被組付用アレイレンズとが位置ずれを起こすおそれが少なくなる。よって、複数のアレイレンズが容易にしかも確実に位置調整されつつ組み付けられ、アレイレンズユニットが容易に製造される。
【発明の効果】
【００２０】
本発明のアレイレンズユニットおよび製造方法は、複数のアレイレンズを容易に組み付けることができる。
【図面の簡単な説明】
【００２１】
【図１】本発明の第１実施形態のアレイレンズユニットの平面図である。
【図２】図１のアレイレンズユニットの正面図である。
【図３】図１のアレイレンズユニットを、製造装置を用いて製造する際の正面視の説明図である。
【図４】図１のアレイレンズユニットを、製造装置を用いて製造する際の平面視の説明図である。
【図５】本発明の第２実施形態のアレイレンズユニットの平面図である。
【図６】図５のＶＩ−ＶＩ線断面図である。
【図７】本発明の第３実施形態のアレイレンズユニットの平面図である。
【図８】図７のアレイレンズユニットの正面図である。
【図９】本発明の第４実施形態のアレイレンズユニットの平面図である。
【図１０】図９のＩＸ−ＩＸ線断面図である。
【図１１】第４実施形態の変形例の平面図である。
【図１２】本発明の第５実施形態のアレイレンズユニットの平面図である。
【図１３】図１２のＸＩＩＩ−ＸＩＩＩ線断面図である。
【発明を実施するための形態】
【００２２】
以下、本発明にかかる実施の一形態を図面に基づいて説明する。なお、各図において同一の符号を付した構成は、同一の構成であることを示し、適宜、その説明を省略する。
【００２３】
（第１実施形態）
図１は、第１実施形態におけるアレイレンズユニットの構成を示す図であり、図１は、その平面図、図２は、その正面図である。尚、以下の説明において、紙面において左右方向を−Ｘ〜＋Ｘ方向とし、紙面において上下方向を−Ｙ〜＋Ｙ方向とし、又、光軸方向を−Ｚ〜＋Ｚ方向として説明する。
【００２４】
アレイレンズユニット１０は、複数のアレイレンズから構成されている。この実施形態では、像側に配置される第１アレイレンズ（被組付用アレイレンズ）１と、第１アレイレンズ１に対して＋Ｚ方向の対物側に配置される第２アレイレンズ（組付用アレイレンズ）２との２つのアレイレンズからなる。従って、この実施形態では、第１アレイレンズ１と第２アレイレンズ２とが隣接し、第２アレイレンズ２が第１アレイレンズ１と隣接する隣接アレイレンズをなすとともに、一方側隣接アレイレンズをなしており、第１アレイレンズ１が他方側配置アレイレンズをなしている。
【００２５】
第１アレイレンズ１は、平面視にて矩形形状（正方形を含み、この実施形態では、各辺が１０ｍｍの正方形）を呈するように形成されており、光軸方向（光軸方向）の−Ｚ方向の対向面（像側となる他方側の対向面）に、複数の個眼レンズ１１ａを有する個眼レンズ面１１を備えている。
【００２６】
個眼レンズ１１ａは、この実施形態では、線形独立な直交するＸ方向およびＹ方向の２方向に２次元マトリクス状に、各光軸が互いに平行となるように、配列されている。
【００２７】
より具体的には、個眼レンズ１１ａは、４行４列に２次元マトリクス状に配列された１６個、備えている。なお、個眼レンズ１１ａの個数は、これに限定されるものではない。
【００２８】
又、第１アレイレンズ１は、光軸方向の＋Ｚ方向の対向面（対物側となる一方側の対向面）に、第２アレイレンズ２が取り付けられた平面状のレンズ組付面１２を備えている。
【００２９】
又、第１アレイレンズ１のレンズ組付面１２は、Ｙ方向の中央部における＋Ｘ方向の端部と−Ｘ方向の端部とのそれぞれに、後述の押圧治具１０２によって＋Ｚ方向（対物側）から押圧される被押圧部１４を備えている。
【００３０】
第２アレイレンズ２は、第１アレイレンズ１と略同構成を採っており、Ｘ−Ｙ平面に対して対称になるように配置されている。詳しくは、第２アレイレンズ２は、矩形形状を呈するように形成されており、光軸方向の＋Ｚ方向の対向面に、第１アレイレンズ１の個眼レンズ１１ａのそれぞれに対応する位置に配設された複数の個眼レンズ２１ａを有する個眼レンズ面２１を備えている。
【００３１】
又、第２アレイレンズ２における光軸方向の−Ｚ方向の対向面（一方側の対向面）に、第１アレイレンズ１のレンズ組付面１２と対向してそのレンズ組付面１２に取り付けられた平面状のレンズ組付面２２を備えている。
【００３２】
ただし、この第１実施形態の第２アレイレンズ２のレンズ組付面２２は、その面積が、第１アレイレンズ１におけるレンズ組付面１２の面積よりも小さくなるように形成されている。
【００３３】
この実施形態では、第２アレイレンズ２のレンズ組付面２２のＸ方向の長さ及びＹ方向の長さが第１アレイレンズ１のＸ方向及びＹ方向のそれぞれ長さのよりも０．５ｍｍ程度、小さく形成されている。
【００３４】
そして、このように構成された第２アレイレンズ２と第１アレイレンズ１とは、それぞれのレンズ組付面１２、２２同士が対向するとともに、第１アレイレンズ１のレンズ組付面１２のＸ方向の両端部及びＹ方向の両端部がそれぞれ、第２アレイレンズ２の各端部から略同じ量ずつ突出するように配置されている。
【００３５】
なお、第２アレイレンズ２のレンズ組付面２２のＸ方向の長さ及びＹ方向の長さが上記のように設定されているのは、以下の理由による。第１アレイレンズ１に対する第２アレイレンズ２の位置調整に０．０５ｍｍ程度、必要であり、又、第１アレイレンズ１の被押圧部１４における端縁からの長さが０．２０ｍｍ以上、必要であることから、第１アレイレンズ１のレンズ組付面１２のＸ方向の両端部及びＹ方向の両端部がそれぞれ、第２アレイレンズ２の各端部から０．２５ｍｍずつ突出するように配置されている。
【００３６】
従って、例えば個眼レンズ１１ａ、２１ａが１列に２〜４個有するアレイレンズの場合、Ｘ方向、Ｙ方向のそれぞれの長さが１０ｍｍ程度に設定されるのが一般的であることから、第２アレイレンズ２のレンズ組付面２２のＸ方向の長さ及びＹ方向の長さが第１アレイレンズ１のＸ方向及びＹ方向のそれぞれ長さのよりも５％以下に形成されるのが好ましい。ただし、第１アレイレンズ１に対する第２アレイレンズ２のレンズ組付面２２のＸ方向の長さ及びＹ方向の長さは、特に限定されず、適宜変更できる。
【００３７】
そして、その状態で、レンズ組付面１２、２２同士が接着剤によって接着されて固定されている。この実施形態では、レンズ組付面１２、２２同士は、紫外線硬化型接着剤によって接着されている。ただし、接着剤は、紫外線硬化型のものに限らず、適宜変更できる。
【００３８】
又、この状態で、第１アレイレンズ１の被押圧部１４が＋Ｚ方向に露出しており、後述の押圧治具１０２によって、＋Ｚ方向から押圧できるようになっている。
【００３９】
次に、このアレイレンズユニットの製造方法について、説明する。このアレイレンズユニットは、製造装置１００によって製造される。以下、アレイレンズユニットの製造方法に先だって、この実施形態で用いられる製造装置１００について説明する。
【００４０】
製造装置１００は、固定治具１０１と、固定治具１０１の＋Ｚ方向側に配設された押圧治具１０２及びレンズ移動操作部材１０３ａ〜１０３ｄと、レンズ位置検出部材１０４、１０７と、制御部１０５と、紫外線照射部材１０６とを備えている。
【００４１】
固定治具１０１は、第１アレイレンズ１を固定するためのもので、四角筒状体からなり、＋Ｚ方向の面に、第１アレイレンズ１を載置する載置部１０１ａを備えている。
【００４２】
押圧治具１０２は、第１アレイレンズ１の被押圧部１４を＋Ｚ方向から−Ｚ方向に押圧するためのものである。押圧治具１０２は、Ｘ方向及びＺ方向に移動可能に配設されている。
【００４３】
レンズ移動操作部材は、第２アレイレンズ２をＸ方向及びＹ方向に移動操作するためのもので、この実施形態では、第２アレイレンズ２を＋Ｘ方向に押圧操作する第１移動操作部材１０３ａと、第２アレイレンズ２を−Ｘ方向に押圧操作する第２移動操作部材１０３ｂと、第２アレイレンズ２を＋Ｙ方向に押圧操作する第３移動操作部材１０３ｃと、第２アレイレンズ２を−Ｙ方向に押圧操作する第４移動操作部材１０３ｄとを備えている。
【００４４】
第１及び第２移動操作部材１０３ａ、１０３ｂは、Ｘ方向及びＺ方向に移動可能に配設されている。第３及び第４移動操作部材１０３ｃ、１０３ｄは、Ｙ方向及びＺ方向に移動可能に配設されている。
【００４５】
レンズ位置検出部材は、第１アレイレンズ１と第２アレイレンズ２との互いの位置を検出するためのもので、固定治具１０１の−Ｚ方向側に配設された検出本体部１０４と、固定治具１０１の＋Ｚ方向側に配設された調整基準チャート１０７とを備えている。
【００４６】
検出本体部１０４は、撮像素子１０４ａと、撮像素子１０４ａを保持した撮像素子保持部材１０４ｂと、撮像素子保持部材１０４ｂをＺ方向に移動させる移動部材１０４ｃとを備えている。
【００４７】
移動部材１０４ｃは、この実施形態では、Ｚ方向に延された軸から構成されており、外周に雄ネジ部１０４ｄを備え、右回転及び左回転可能に配設されている。そして、この雄ネジ部１０４ｄが、撮像素子保持部材１０４ｂに設けられた雌ネジ部と螺合し、図示しない駆動部材によって移動部材１０４ｃが右回転又は左回転することにより、螺合した撮像素子保持部材１０４ｂが＋Ｚ方向又は−Ｚ方向に移動するようになっている。
【００４８】
調整基準チャート１０７は、−Ｚ方向の面に、チャート像が表示された表示面を備えている。そして、この表示面が、固定治具１０１に固定されたアレイレンズユニット１０を挟んで撮像素子１０４ａと反対側に配設されている。
【００４９】
制御部１０５は、例えば撮像素子１０４ａと電気的に接続されており、撮像素子１０４ａに結像され光電変換されたチャート像をモニタ上に表示する。又、制御部１０５は、撮像素子１０４ａから得たチャート像情報に基づいて移動部材１０４ｃを右回転又は左回転させるよう制御する。
【００５０】
又、制御部１０５は、例えば撮像素子１０４ａで撮像したチャート像のピント位置を求め、ピント位置情報に基づいて像面の傾きを演算処理するとともに、その演算処理した像面の傾き情報に基づいて、第１〜第４移動操作部材１０３ａ〜１０３ｄを移動させるよう制御する。
【００５１】
紫外線照射部材１０６は、アレイレンズユニット１０に塗布された紫外線硬化型接着剤に紫外線を照射して紫外線を硬化させる。
【００５２】
次に、この製造装置１００を用いてアレイレンズユニット１０を製造する方法について説明する。
【００５３】
まず、第１アレイレンズ１が、個眼レンズ面１１を撮像素子１０４ａ側にして、固定治具１０１の載置部１０１ａに載置される。そして、第１アレイレンズ１のレンズ組付面１２における被押圧部１４が押圧治具１０２によって＋Ｚ方向から−Ｚ方向に押圧される。これにより、第１アレイレンズ１が固定治具１０１に押し付けられて固定される（第１アレイレンズ固定工程）。
【００５４】
次に、第２アレイレンズ２が、予め接着剤を塗布したレンズ組付面２２を第１アレイレンズ１のレンズ組付面１２に対向するようにして載置される（組付用アレイレンズ載置工程）。
【００５５】
次に、この状態から、第１アレイレンズ１と第２アレイレンズ２との位置調整を行う（組付用アレイレンズ位置調整工程）。この位置調整は、この実施形態では、次のようにして行っている。
【００５６】
移動部材１０４ｃをＺ方向（ピント方向）に一定量ずつ移動させ、調整基準チャート１０７のチャート像を各個眼レンズ１１ａ、２１ａを通して撮像素子１０４ａで撮影する。
撮影は、１個の個眼レンズ１１ａ、２１ａごとに複数個所、例えば軸上及び軸外４箇所について行われる。
【００５７】
撮影された像情報は、制御部１０５に送られ、制御部１０５は、各個眼レンズ１１ａ、２１ａについての複数個所での像情報に基づいてピント位置を求め、像面の傾きを検出する。そして、制御部１０５は、像面の傾きの情報に基づいて、第１〜第４移動操作部材１０３ａ〜１０３ｄを移動させることによって、第２アレイレンズ２を第１アレイレンズ１に対して光軸方向（光軸方向）に直交するＸ方向、Ｙ方向に移動させ、像面の傾きが予め設定した傾き以下になるように制御する。
【００５８】
なお、この実施形態では、第１アレイレンズ１の個眼レンズ１１ａ（第２アレイレンズ２の個眼レンズ２１ａ）のそれぞれについて上記のピント位置調整を行っているが、この形態のものに限らず、例えば４隅の個眼レンズ１１ａについて行う等、適宜選択した複数の個眼レンズ１１ａについて行ってもよく、適宜変更できる。
【００５９】
次に、紫外線照射部材１０６によって、第１アレイレンズ１のレンズ組付面１２と第２アレイレンズ２のレンズ組付面２２との間に配設された紫外線硬化型接着剤に紫外線を照射して硬化させる（接着剤硬化工程）。
【００６０】
以上のように構成されたアレイレンズユニット１０であれば、第１アレイレンズ１と第２アレイレンズ２との組み付けに際して第１アレイレンズ１の一方側の対向面の被押圧部１４を押圧治具１０２によって一方側から光軸方向に押圧することで、第１アレイレンズ１の像側となる他方側の対向面を固定治具１０１に押し付けることができる。これにより、第１アレイレンズ１を歪ませることなく固定治具１０１に固定できる。従って、この状態で、第２アレイレンズ２を第１アレイレンズ１の一方側に載置して光軸方向（光軸方向）に直交する方向の位置を調整すれば、第１アレイレンズ１から押圧している押圧治具１０２を外しても、第１アレイレンズ１と第２アレイレンズ２とが調整後に位置ずれを起こすおそれが少なくなる。よって、第１アレイレンズ１と第２アレイレンズ２とを、容易にしかも確実に位置調整して製造できる。
【００６１】
又、第２アレイレンズ２が第１アレイレンズ１よりも小さいため、組み付けが容易になるとともに、アレイレンズユニット１０全体の小型化が図られる。
【００６２】
（第２実施形態）
次に、第２実施形態のアレイレンズユニット２００について、図５、図６に基づいて説明する。第２実施形態のアレイレンズユニット２００は、先の第１実施形態のものと同様に、第１アレイレンズ（被組付用アレイレンズ）１と、第２アレイレンズ（組付用アレイレンズ、最像側隣接アレイレンズ）２０２との２つのアレイレンズからなる。第１アレイレンズ１は、先の第１実施形態のものと同構成を採っている。
【００６３】
第２アレイレンズ２０２は、この第２実施形態では、Ｘ方向の長さ及びＹ方向の長さが第１アレイレンズ１のＸ方向及びＹ方向のそれぞれ長さと略同じに形成されている。
【００６４】
又、第２実施形態の第２アレイレンズ２０２は、−Ｘ方向の端部と＋Ｘ方向の端部とに、それぞれ、互いに所定距離だけ隔てて２つの凹部２２０を備えている。
【００６５】
各凹部２２０は、押圧治具１０２の幅よりも大きい幅で、第２アレイレンズ２０２の外周縁から内側に凹まされるように形成されている。その他は、先の第１実施形態と同構成を採っている。
【００６６】
このように構成された第２実施形態のアレイレンズユニット２００では、第１アレイレンズ１と同じ大きさの第２アレイレンズ２０２を第１アレイレンズ１に重ね合わせれば、凹部２１０によって第１アレイレンズ１の凹部２２０に対応する部分を被押圧部１４として一方側に露出形成でき、被押圧部１４が容易に形成される。
【００６７】
（第３実施形態）
次に、第３実施形態のアレイレンズユニット３００について、図７、図８に基づいて説明する。第３実施形態のアレイレンズユニット３００は、先の第１実施形態のものと同様に、第１アレイレンズ（被組付用アレイレンズ）３０１と、第２アレイレンズ（組付用アレイレンズ、最像側隣接アレイレンズ）３０２との２つのアレイレンズからなる。
【００６８】
第１アレイレンズ３０１は、４つの隅角部のそれぞれに、被押圧部３１４を備えている。
【００６９】
第２アレイレンズ３０２は、Ｘ方向の長さ及びＹ方向の長さが第１アレイレンズ１のＸ方向及びＹ方向のそれぞれ長さと略同じに形成されている。
【００７０】
又、第２アレイレンズ３０２は、第１アレイレンズ１の隅角部の被押圧部３１４に対応する隅角部のそれぞれに、面取り部（切欠き部）３２０を備えている。この面取り部３２０は、第２アレイレンズ３０２の隅角部の一部を、押圧治具１０２に一方端に設けられた押圧部１０２ａよりも大きい大きさでＣ面取りして形成されている。その他は、先の第１実施形態と同構成を採っている。尚、面取り部３２０は、Ｃ面取りされる形態のものに限らず、例えばＲ面取りされてもよい。
【００７１】
このように構成された第３実施形態のアレイレンズユニット３００では、第１アレイレンズ３０１と同じ大きさの第２アレイレンズ３０２を第１アレイレンズ３０１に重ね合わせれば、面取り部３１２ａによって第１アレイレンズ１の面取り部３１２ａに対応する部分を被押圧部３１４として対物側に露出形成でき、被押圧部３１４が容易に形成される。
【００７２】
（第４実施形態）
次に、第４実施形態のアレイレンズユニット４００について、図９、図１０に基づいて説明する。第４実施形態のアレイレンズユニット４００は、先の第１実施形態のものと同様に、第１アレイレンズ（被組付用アレイレンズ）４０１と、第２アレイレンズ（組付用アレイレンズ、隣接アレイレンズ）２との２つのアレイレンズからなる。第２アレイレンズ２は、先の第１実施形態のものと同構成を採っている。
【００７３】
第１アレイレンズ４０１は、アレイレンズ本体部４０１ａと、周縁の全周に渡って形成された突部４０１ｂとを備えている。
【００７４】
アレイレンズ本体部４０１ａは、先の第１実施形態の第１アレイレンズ１と同構成を採っている。
【００７５】
突部４０１ｂは、アレイレンズ本体部４０１ａのレンズ組付面から＋Ｚ方向に突出するように形成されており、これにより、アレイレンズ本体部４０１ａにおける突部４０１ｂの内側に、第２アレイレンズ２を受容する受容部４１１が形成されている。
【００７６】
受容部４１１は、第２アレイレンズ２がＸ方向及びＹ方向（光軸方向に直交する方向）に移動できるように、第２アレイレンズ２よりもやや大きい、平面視で矩形状に形成されている。尚、被押圧部４１４は、突部４０１ｂの＋Ｚ方向の面に形成されている。その他は、先の第１実施形態と同構成を採っている。
【００７７】
このように構成された第４実施形態のアレイレンズユニット４００では、組み付けに際して、第２アレイレンズ２が受容部４１１に受容されれば、第１アレイレンズ４０１に対して第２アレイレンズ２の光軸方向に直交するＸ方向及びＹ方向の概略の位置が決められる。そして、その状態から、第１アレイレンズ４０１に対して第２アレイレンズ２がＸ方向及びＹ方向に僅かに移動操作されることとで、第１アレイレンズ４０１に対して第２アレイレンズ２のＸ方向及びＹ方向の位置が最終的に位置調整される。従って、隣接する第１アレイレンズ４０１と第２アレイレンズ２との組み付けが容易なものになる。
【００７８】
なお、突部４０１ｂは、アレイレンズ本体部４０１ａの周縁の全周に渡って形成される形態のものに限らず、適宜変更できる。例えば図１１に示すように突部４１１ｂは、アレイレンズ本体部４０１ａの−Ｘ方向、＋Ｘ方向、−Ｙ方向及び＋Ｙ方向のそれぞれの周縁の一部に形成され、これにより、アレイレンズ本体部４０１ａにおける突部４０１ｃの内側に、第２アレイレンズ２を受容する受容部４１１が形成されるようにしてもよい。
【００７９】
（第５実施形態）
次に、第５実施形態のアレイレンズユニット５００について、図１２、図１３に基づいて説明する。第５実施形態のアレイレンズユニット５００は、先の第１実施形態のものと同様に、第１アレイレンズ（被組付用アレイレンズ）５０１と、第２アレイレンズ（組付用アレイレンズ、隣接アレイレンズ）５０２との２つのアレイレンズからなる。
【００８０】
この第５実施形態のアレイレンズユニット５００では、第２アレイレンズ５０２が受容部５２４を備えている。
【００８１】
詳しくは、第２アレイレンズ５０２は、レンズ組付面５２３における２箇所に、受容部５２４を備えている。
【００８２】
各受容部５２４は、レンズ組付面５２３から円柱状に凹まされるように形成されている。
【００８３】
第１アレイレンズ５０１は、アレイレンズ本体部５０１ａと、２つの円柱状の突部５０１ｂとを備えている。
【００８４】
アレイレンズ本体部５０１ａは、先の第１実施形態の第１アレイレンズ１と同構成を採っている。
【００８５】
突部５０１ｂは、アレイレンズ本体部５０１ａのレンズ組付面における受容部５２４に対応する位置に形成されている。各突部５０１ｂは、受容部５２４の内径よりも径小に、レンズ組付面から＋Ｚ方向に突設されている。その他は、先の第１実施形態と同構成を採っている。
【００８６】
このように構成された第５実施形態のアレイレンズユニット５００では、組み付けに際して、第２アレイレンズ５０２の受容部５２４に第１アレイレンズ５０１の突部５０１ｂが受容されれば、第１アレイレンズ５０１に対して第２アレイレンズ５０２のＸ方向及びＹ方向の概略の位置が決められる。そして、その状態から、第１アレイレンズ５０１に対して第２アレイレンズ５０２がＸ方向及びＹ方向に僅かに移動操作されることとで、第１アレイレンズ５０１に対して第２アレイレンズ５０２が最終的に位置調整される。従って、先の第４実施形態と同様に、隣接する第１アレイレンズ５０１と第２アレイレンズ５０２との組み付けが容易なものになる
なお、上記実施形態では、受容部５２４が第２アレイレンズ５０２に形成され、突部５０１ｂが第１アレイレンズ５０１に形成されたが、例えば受容部が第１アレイレンズ５０１に形成され、突部が第２アレイレンズ５０２に形成されてもよく、適宜変更できる。
【００８７】
又、受容部５２４及び突部５０１ｂの数及び位置は、特に限定されず、適宜変更できる。
【００８８】
尚、上記第１〜第５実施形態では、第２アレイレンズは、１つから構成されたが、２以上から構成されてもよく、適宜変更できる。
【００８９】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【００９０】
１、３０１、４０１、５０１    第１アレイレンズ（被組付用アレイレンズ）
２、２０２、３０２、５０２    第２アレイレンズ（組付用アレイレンズ、隣接アレイレンズ）
１０、２００、３００、４００、５００    アレイレンズユニット
１４、３１４、４１４  被押圧部
１０１  固定治具
１０２  押圧治具
２１０  凹部
３２０  面取り部
４１１、５２４  受容部
【図１】
2015219397.tif 000003
【図２】
2015219397.tif 000004
【図３】
2015219397.tif 000005
【図４】
2015219397.tif 000006
【図５】
2015219397.tif 000007
【図６】
2015219397.tif 000008
【図７】
2015219397.tif 000009
【図８】
2015219397.tif 000010
【図９】
2015219397.tif 000011
【図１０】
2015219397.tif 000012
【図１１】
2015219397.tif 000013
【図１２】
2015219397.tif 000014
【図１３】
2015219397.tif 000015